(57)【要約】【課題】複数の棚ユニットを、水平方向及び垂直方向のみならず、斜め上方及び斜め下方に連結できるようにして、興趣ある棚を提供する。【解決手段】地板２と天板３と外側へ屈曲状に傾斜した両側板４〜７とで正面形状を六角形に形成し、内部に少なくとも前側が開口する収納部８を設け、かつ、少なくとも両側板に取付穴１１〜１４を設けた複数の棚ユニット１を用意する。この複数の棚ユニット１を、それぞれの傾斜した側板相互を重ねて連結して棚を構成する。【選択図】　　　　　図８
0003099062.tif 000002
【実用新案登録請求の範囲】
【請求項１】
地板と天板と少なくとも一側に側板を有し、これらの内部に、前後方向の少なくとも前側を開口した収納部を設け、かつ、前記側板を外側方へくの字状に折曲させ、更に、少なくとも前記側板に取付穴を設けたことを特徴とする棚ユニット。
【請求項２】
地板と天板と外側へ屈曲状に傾斜した両側板とで正面形状を六角形に形成し、内部に少なくとも前側が開口する収納部を設け、かつ、少なくとも両側板に取付穴を設けたことを特徴とする棚ユニット。
【請求項３】
地板と天板と外側へ屈曲状に傾斜した両側板とで正面形状を六角形に形成し、内部に少なくとも前側が開口する収納部を設け、かつ、前記地板と天板と両側板に取付穴を設けたことを特徴とする棚ユニット。
【請求項４】
地板と天板と外側へ屈曲状に傾斜した両側板とで正面形状を六角形に形成し、内部に少なくとも前側が開口する収納部を設け、かつ、前記地板と天板と両側板に取付穴を設け、前記地板の取付穴に脚を付設したことを特徴とする棚ユニット。
【請求項５】
前記収納部に引き出しボックスを摺動可能に収めた請求項１乃至４のいずれかに記載の棚ユニット。
【請求項６】
地板と天板と少なくとも一側に側板を有し、これらの内部に、前後方向の少なくとも前側を開口した収納部を設け、かつ、前記側板を外側方へくの字状に折曲させ、更に、少なくとも前記側板に取付穴を設けた棚ユニットを複数用意し、これら棚ユニットを、それぞれの傾斜した側板を重ね合わせて、その取付穴を介して連結手段により連結したことを特徴とする棚。
【請求項７】
地板と天板と外側へ屈曲状に傾斜した両側板とで正面形状を六角形に形成し、内部に少なくとも前側が開口する収納部を設け、かつ、少なくとも両側板に取付穴を設けた棚ユニットを複数用意し、これら棚ユニットを、夫々の傾斜した側板を重ね合わせてその取付穴を介して連結手段により連結したことを特徴とする棚。
【請求項８】
地板と天板と外側へ屈曲状に傾斜した両側板とで正面形状を六角形に形成し、内部に少なくとも前側が開口する収納部を設け、かつ、前記地板と天板と両側板に取付穴を設けた棚ユニットを複数用意し、これら棚ユニットを、天板と地板を重ねあわせたり、傾斜した側板を重ね合わせて、その取付穴を介して連結手段により連結したことを特徴とする棚。
【請求項９】
前記連結された棚ユニットにおいて、床面から離間する棚ユニットに脚を付設した請求項６乃至８のいずれかに記載の棚。
【請求項１０】
前記収納部に引き出しボックスを摺動可能に収めた請求項６乃至９のいずれかに記載の棚。
【考案の詳細な説明】
【０００１】
【考案の属する技術分野】
本考案は棚ユニットとこれを用いた棚に関する。
【０００２】
【従来の技術】
従来、物品を載置するテーブルとして、平面から見て台形に形成された多角立方状函体を複数個用意し、これらを平面上において連結して、平面的に所望に組み合わせることにより、意匠性、機能性を向上させるテーブルが知られている（例えば特許文献１参照）。
【０００３】
また、正面から見て正方形、長方形の枠体を複数個連結して棚を構成するものも知られている。
【０００４】
【特許文献１】
実登第２５４６６５１号公報（第１頁、図４）
【０００５】
【考案が解決しようとする課題】
前記特許文献１のテーブルにおいては平面的に組み合わせて使用するものであり、立体的に変化させる棚としては使用できない。
【０００６】
また、前記従来のような方形の枠体を複数個連結して棚を形成するものにおいては、枠体を同一水平面及び同一垂直面の２方向にしか連結することができず、組み合わされた棚も単純な形態である。
【０００７】
そこで本考案は、収納部を構成する棚ユニットを複数用意し、これを水平方向、垂直方向のみならず、斜め上方及び斜め下方へも連結できるようにして、興趣ある棚を構成できる棚ユニットとこれを用いた棚を提供することを目的とするものである。
【０００８】
【課題を解決するための手段】
前記の課題を解決するために、請求項１記載の考案は、地板と天板と少なくとも一側に側板を有し、これらの内部に、前後方向の少なくとも前側を開口した収納部を設け、かつ、前記側板を外側方へくの字状に折曲させ、更に、少なくとも前記側板に取付穴を設けたことを特徴とする棚ユニットである。
【０００９】
請求項２記載の考案は、地板と天板と外側へ屈曲状に傾斜した両側板とで正面形状を六角形に形成し、内部に少なくとも前側が開口する収納部を設け、かつ、少なくとも両側板に取付穴を設けたことを特徴とする棚ユニットである。
【００１０】
請求項３記載の考案は、地板と天板と外側へ屈曲状に傾斜した両側板とで正面形状を六角形に形成し、内部に少なくとも前側が開口する収納部を設け、かつ、前記地板と天板と両側板に取付穴を設けたことを特徴とする棚ユニットである。
【００１１】
請求項４記載の考案は、地板と天板と外側へ屈曲状に傾斜した両側板とで正面形状を六角形に形成し、内部に少なくとも前側が開口する収納部を設け、かつ、前記地板と天板と両側板に取付穴を設け、前記地板の取付穴に脚を付設したことを特徴とする棚ユニットである。
【００１２】
請求項５記載の考案は、請求項１乃至４のいずれかに記載の考案において、前記収納部に引き出しボックスを摺動可能に収めた棚ユニットである。
【００１３】
請求項６記載の考案は、地板と天板と少なくとも一側に側板を有し、これらの内部に、前後方向の少なくとも前側を開口した収納部を設け、かつ、前記側板を外側方へくの字状に折曲させ、更に、少なくとも前記側板に取付穴を設けた棚ユニットを複数用意し、これら棚ユニットを、それぞれの傾斜した側板を重ね合わせて、その取付穴を介して連結手段により連結したことを特徴とする棚である。
【００１４】
請求項７記載の考案は、地板と天板と外側へ屈曲状に傾斜した両側板とで正面形状を六角形に形成し、内部に少なくとも前側が開口する収納部を設け、かつ、少なくとも両側板に取付穴を設けた棚ユニットを複数用意し、これら棚ユニットを、夫々の傾斜した側板を重ね合わせてその取付穴を介して連結手段により連結したことを特徴とする棚である。
【００１５】
請求項８記載の考案は、地板と天板と外側へ屈曲状に傾斜した両側板とで正面形状を六角形に形成し、内部に少なくとも前側が開口する収納部を設け、かつ、前記地板と天板と両側板に取付穴を設けた棚ユニットを複数用意し、これら棚ユニットを、天板と地板を重ねあわせたり、傾斜した側板を重ね合わせて、その取付穴を介して連結手段により連結したことを特徴とする棚である。
【００１６】
請求項９記載の考案は、請求項６乃至８のいずれかに記載の考案において、前記連結された棚ユニットにおいて、床面から離間する棚ユニットに脚を付設した棚である。
【００１７】
請求項１０記載の考案は、請求項６乃至９のいずれかに記載の考案において、前記収納部に引き出しボックスを摺動可能に収めた棚である。
【００１８】
【考案の実施の形態】
本考案の好ましい実施の形態を図に示す実施例に基づいて説明する。
【００１９】
図１は１個の棚ユニット１の斜視図、２はその棚ユニット１の正面図、図３は同平面図、図４は同左側面図である。
【００２０】
この棚ユニット１は、板材を正面から見て六角形に組み付けて形成され、地板２と天板３と外側へくの字状に屈曲して形成された両側板４〜７とで構成されている。すなわち、平行した床板２と天板３と、地板２の両側端から外方へ向かって上昇するように傾斜した下部側板４，５と、天板３の両側端から外方に向かって下降するように傾斜した上部側板６，７からなり、前記下部側板４，５と上部側板６，７は棚ユニット１の高さ方向の略中央で連結されている。また、各側板４〜７の傾斜角は同一角度に設定され、一方の側の下部側板４と他方の側の上部側板７は平行し、一方の側の上部側板６と他方の側の下部側板５は平行している。
【００２１】
したがって、この棚ユニット１は、正面から見て六角形に形成され、その内部が、前後方向に貫通する収納部８に形成されている。更にその地板２と天板３の左右方向の長さは側板の上下方向の長さよりも長く形成され、天板３が物置台に適するように広く形成されている。
【００２２】
更に、前記地板２の略四隅には取付穴９が形成され、天板３の略四隅には、前記地板２の取付穴９と同一位置に取付穴１０が形成されている。更に、前記右側の下部側板４には、その上下方向の略中央部で、かつ、前後方向の端部に位置して取付穴１１が形成されている。更に、前記右側の上部側板６、左側の下部側板５、左側の上部側板７にも前記右側の下部側板４に形成した取付穴１１と同様の位置に取付穴１２，１３，１４が形成されている。
【００２３】
図５は引き出しボックスの斜視図で、該引き出しボックス２０は、前後に、前記棚ユニット１の収納部８内に収まる形状の前後板２１，２２を配置し、該前後板２１，２２の両側部間に側板２３，２４を配置し、かつ、前後板２１，２２の底部間に底板２５を配置して、上方が開口する収納室２６を形成しており、該引き出しボックス２０を前記棚ユニット１の収納部８に、前後方向に摺動可能で、かつ、取り外し可能に収納できるようになっている。
【００２４】
図６は連結手段である連結用のボルト及びナットを示すもので、該ボルト３０とナット３１は、前記棚ユニット１に形成した取付穴９〜１４に嵌合する径に形成されている。このボルト３０とナット３１は必要数用意する。
【００２５】
図７は脚を示すもので、該脚４０は、その上部に前記取付穴９〜１４に挿通する雄ねじ４１を有し、該雄ねじ４１を取付穴９〜１４のうちの所望の取付穴に挿通して反対側から前記のナット３１を螺合できるようになっている。この脚４０の長さは、棚ユニット１の高さの略半分の長さに設定されている。また、この脚４０は必要本数用意する。
【００２６】
以上の構成部品を用いて棚を形成する態様について説明する。なお、使用する棚ユニット１を複数用いることから、説明上各棚ユニット１を１Ａ，１Ｂ…とする。
【００２７】
図８は２個の棚ユニットを用い、その第１の棚ユニット１Ａの上部側板６の外面に、第２の棚ユニット１Ｂの左側の下部側板５の外面を重ね、該下部側板５に形成した取付穴１３を上部側板６に形成した取付穴１２と合致させて、これらに図６に示すボルト３０を挿通し、該ボルト３０の反対側から該ボルトにナット３１を螺着し、両側板５と６を連結する。また、第２の棚ユニット１Ｂの地板２における前記の連結側と反対側の取付穴９に脚４０の雄ねじ４１を地板２の下側から挿入し、その反対側から該雄ねじ４１にナット３１を螺着して、脚４０を地板２に固設する。
【００２８】
これにより、図８に示すように、第１の棚ユニット１Ａに第２の棚ユニット１Ｂが段違いに連結され、かつ、第１の棚ユニット１Ａの地板２が床面に載置され、第２の棚ユニット１Ｂが脚４０により支承され、安定した状態に設置できる。
【００２９】
そして、両棚ユニット１Ａ，１Ｂの天板３，３及び地板２，２が物置台として使用できる。この形態は、例えばセンターテーブル様の棚として使用するのに適する。両棚ユニット１Ａ，１Ｂの収納部８，８に図５に示すような引き出しボックス２０を収めて、引き出し付きの棚とすることもできる。
【００３０】
図９は前記図８の連結形態において、更に、第１の棚ユニット１Ａにおける天板３の取付穴１０に脚４０を起立固設し、該脚４０上と第２の棚ユニット１Ｂにおける天板３上との間にガラス板などの台板５０を載置したものである。この形態も例えば、センターテーブル様の棚として使用するのに適する。
【００３１】
図１０は前記図８の連結形態と同様に第１の棚ユニット１Ａに第２の棚ユニット１Ｂを段違い状に連結するとともに第２の棚ユニット１Ｂに脚４０を取り付け、更に、第１の棚ユニット１Ａ上に更に第３の棚ユニット１Ｃを載置し、該第３の棚ユニット１Ｃの下部側板５と第１の棚ユニット１Ａの上部側板６とを、取付穴１３，１２を介してボルト３０及びナット３１で連結したものである。この形態は例えば、第３の棚ユニット１Ｃの天板３上に小型液晶テレビを載置するような棚として使用するのに適する。
【００３２】
前記図８乃至図１０の連結形態では、側板４〜７の取付穴１１〜１４のみで連結できるため、地板２及び天板３側の取付穴９，１０は本来不要である。
【００３３】
図１１は、第１の棚ユニット１Ａの一方の上部側板６に第２の棚ユニット１Ｂの地板２を重ね、これらを取付穴１２，９を介してボルト３０及びナット３１で連結し、更に第１の棚ユニット１Ａの他方の上部側板７に第３の棚ユニット１Ｃの地板２を重ね、これらを取付穴１４，９を介してボルト３０及びナット３１で連結し、第２の棚ユニット１Ｂと第３の棚ユニット１Ｃを脚状にしたものである。更に、前記第２及び第３の棚ユニット１Ｂ，１Ｃの下側の側板を接地面とし、上側の側板間にガラスなどの台板５０を載置している。この形態もセンターテーブル様の棚として使用するのに適する。
【００３４】
図１２は、複数の棚ユニットを積み重ねたもので、図１２の例では３個の棚ユニット１Ａ〜１Ｃを積み重ね、これらの地板２と天板３を取付穴９，１０を介してボルト３０及びナット３１で連結したものである。また、図１２の形態では、各棚ユニット１Ａ〜１Ｃの収納部８に図５に示すような引き出しボックス２０を収めて引き出し付きの棚としている。この形態はチェスト様の棚として使用するのに適する。
【００３５】
なお、前記図８乃至図１１に示す形態において、所望の棚ユニットの収納部８に図５に示すような引き出しボックス２０を収納して引き出し付きの棚としてもよい。
【００３６】
図１３は前記の１個の棚ユニット１において、その地板２の四隅に設けた４個の取付穴９にそれぞれ前記の脚４０を挿通して前記のナット３１により固定し、４本の脚４０を付設したものである。この図１３の形態においては、この１個の棚ユニットをそのまま棚として使用してもよく、この脚付棚ユニットに他の棚ユニットを前記の態様のように付設して棚を構成してもよい。なお、図１３のように１個のみで使用する場合は、その脚４０を、前記の他の態様の場合の脚４０よりも長い脚を用いるとよい。更に、該図１３に示す棚ユニット１の収納部８に前記の引き出しボックス２０を収納してもよい。
【００３７】
図１４乃至図１７は、前記図１乃至図４に示す棚ユニット１を、その左右方向の中央部で切断した片側半分からなる形状の棚ユニット１Ｄである。なお、切断側には補強材６０が設けられている。その他の構造は前記図１乃至図４に示す棚ユニット１と同様であるため、同一部分には同一符号を付してその説明を省略する。この棚ユニット１Ｄは例えば図１８に示すように使用し、棚全体の形状を変化させて趣を増すことができる。
【００３８】
図１９は前記図１乃至図４に示す棚ユニット１と図１４乃至図１７に示す半形状の棚ユニット１Ｄを多数使用し、これらを連結してワイドシェルフ状の棚としたものである。
【００３９】
なお、前記の連結状態（形態）は代表的なものであり、本考案の棚ユニットは、所望数用いて前記の形態以外の所望の形態に連結して使用できるものである。
【００４０】
なお、前記の棚ユニット１Ａ〜１Ｄの収納部８は、図の実施例では前後方向の両側を開口したが、後方側を後板などで閉塞してもよい。すなわち、該収納部８は、少なくとも前側が開口する空間に形成されていればよい。
【００４１】
【考案の効果】
以上のようであるから、本考案によれば、複数の棚ユニットを、水平方向、垂直方向のみならず、斜め上方及び斜め下方の六方向に選択して連結することができ、種々な形態の棚を構成することができる。そのため、前記従来のように水平方向或いは垂直方向のみ連結して構成される棚に比べて興趣ある棚を提供することができる。
【図面の簡単な説明】
【図１】本考案の１個の棚ユニットの実施例を示す斜視図。
【図２】図１の棚ユニットの正面図。
【図３】図２の平面図。
【図４】図２の左側面図。
【図５】本考案における引き出しボックスを示す斜視図。
【図６】本考案における連結手段であるボルトとナットの斜視図。
【図７】本考案における脚を示す斜視図。
【図８】本考案の棚ユニットを用いて棚を構成した第１態様の斜視図。
【図９】本考案の棚ユニットを用いて棚を構成した第２態様の斜視図。
【図１０】本考案の棚ユニットを用いて棚を構成した第３態様の斜視図。
【図１１】本考案の棚ユニットを用いて棚を構成した第４態様の斜視図。
【図１２】本考案の棚ユニットを用いて棚を構成した第５態様の斜視図。
【図１３】本考案の棚ユニットの他の態様を示す斜視図。
【図１４】本考案における棚ユニットの別例を示す斜視図。
【図１５】図１４の棚ユニットの正面図。
【図１６】図１５の平面図。
【図１７】図１５の左側面図。
【図１８】図１４の棚ユニットを使用した態様を示す斜視図。
【図１９】本考案の図１と図１４の棚ユニットを使用した態様を示す斜視図。
【符号の説明】
１，１Ａ〜１Ｄ　　棚ユニット
２　　地板
３　　天板
４，５　　下部側板
６，７　　上部側板
８　　収納部
９〜１４　　取付穴
２０　　引き出しボックス
３０，３１　　連結手段であるボルト、ナット
４０　　脚
５０　　台板
【図１】
0003099062.tif 000003
【図２】
0003099062.tif 000004
【図３】
0003099062.tif 000005
【図４】
0003099062.tif 000006
【図５】
0003099062.tif 000007
【図６】
0003099062.tif 000008
【図７】
0003099062.tif 000009
【図８】
0003099062.tif 000010
【図９】
0003099062.tif 000011
【図１０】
0003099062.tif 000012
【図１１】
0003099062.tif 000013
【図１２】
0003099062.tif 000014
【図１３】
0003099062.tif 000015
【図１４】
0003099062.tif 000016
【図１５】
0003099062.tif 000017
【図１６】
0003099062.tif 000018
【図１７】
0003099062.tif 000019
【図１８】
0003099062.tif 000020
【図１９】
0003099062.tif 000021